(57)【特許請求の範囲】
【請求項１】
セットばねの付勢力によってセット方向に回転し、羽根を露光作動開始位置に戻り走行させる第１駆動部材と、駆動ばねの付勢力によってセット方向とは反対方向に回転し、前記セットばねの付勢力に抗して前記第１駆動部材を押動することで前記羽根を露光作動させる第２駆動部材とで構成された駆動手段を有するとともに、セット作動開始後の前記羽根へのチャージに対し前記第１駆動部材を係止して該羽根を露光作動終了時の状態に保持し、前記第１駆動部材への係止を解除することによって前記羽根を露光作動開始方向へ駆動させる係止機構を備えたカメラ用フォーカルプレンシャッタにおいて、
前記係止機構が、軸を中心として回転可能であって、一端に前記第１駆動部材に設けられている第１の被係止部を係止して前記第１駆動部材のセット方向への回転を抑止する第１の係止部を有するとともに他端に永久磁石を有する係止レバーと、片側方向への通電により前記永久磁石に対して反発する磁力を発する係止レバー用電磁石とを有し、前記係止レバー用電磁石への片側方向の通電と該通電の解除との切換えに応じて、前記係止レバーを前記第１の被係止部を係止する方向と該係止を解除する方向とに切換えて回転させ、さらに、
前記係止レバー用電磁石が、前記羽根が露光作動方向へ走行しているときに、前記永久磁石に対して反発する磁力を発する方向とは逆の第２の方向への通電により、前記永久磁石との吸着力を強める磁力を発することを特徴とするカメラ用フォーカルプレンシャッタ。
【請求項２】
前記係止レバーは、前記第１の係止部の外側に、前記第１駆動部材の前記第１の被係止部の外側に設けられている押動部に摺接しながら押される被押動部を有し、
前記第１の係止部が前記第１の被係止部を係止可能な位置にある状態で、前記第１駆動部材が露光作動方向に回転させられたときに、前記第１駆動部材の前記押動部が前記係止レバーの前記被押動部を押し退けて、前記第１の係止部による前記第１駆動部材の前記第１の被係止部の係止が掛かることを特徴とする請求項１に記載のカメラ用フォーカルプレンシャッタ。
【請求項３】
前記羽根の露光作動開始位置への戻り走行終了時の衝撃により生ずるバウンドを抑止するバウンド抑止機構を、前記係止機構に備えたことを特徴とする請求項１又は２に記載のカメラ用フォーカルプレンシャッタ。
【請求項４】
前記バウンド抑止機構は、前記係止レバーに設けられていて、前記第１駆動部材に設けられている第２の被係止部を係止する第２の係止部からなることを特徴とする請求項３に記載のカメラ用フォーカルプレンシャッタ。
【請求項５】
前記バウンド抑止機構は、前記第２の係止部の外側に、前記第１駆動部材の前記第２の被係止部の外側に設けられている第２の押動部に摺接されながら押される第２の被押動部を有し、
前記第２の係止部が前記第２の被係止部を係止可能な位置にある状態で、前記第１駆動部材が露光作動開始方向に回転させられたときに、前記第１駆動部材の前記第２の押動部が前記バウンド抑止機構の前記第２の被押動部を摺接しながら押し退けて、前記第２係止部による前記第１駆動部材の前記第２の被係止部の係止が掛かることを特徴とする請求項４に記載のカメラ用フォーカルプレンシャッタ。
【請求項６】
請求項１〜５のいずれかに記載のカメラ用フォーカルプレンシャッタを備えていることを特徴とするデジタルカメラ。
【発明の詳細な説明】
【技術分野】
【０００１】
本発明は、例えば、先幕電子シャッタにおいて、羽根チャージ時におけるセンサへの露光防止のために、羽根チャージ中は幕を閉じておく機構を備えたカメラ用フォーカルプレンシャッタ、及びそれを備えたデジタルカメラに関する。
【背景技術】
【０００２】
現在、カメラに使用されるフォーカルプレンシャッタには、例えば、本件出願人の提案による次の特許文献１に記載されるようなシャッタがある。
特許文献１に記載のフォーカルプレンシャッタは、撮影の待機状態において露光開口を開いた状態とすべく、先羽根の閉じ方向への移動を抑止し、撮影時に先羽根の閉じ方向への移動の抑止を解除するための抑止部材が、永久磁石回転子等の往復作動可能な可動子を備え、可動子に備わるコイルに対し二方向に通電することにより、可動子を先羽根の閉じ方向への移動を抑止する方向とその抑止を解除する方向とに移動させる電磁装置で構成されている。そして、セット作動時においては、後羽根の方は、露光開口を閉じた状態から開いた状態に作動させるが、先羽根の方は、露光開口を開いた状態から閉じた状態には作動させない、ノーマリーオープン方式での撮影を、このような電磁装置からなる抑止部材の往復作動可能な可動子のコイルへの通電方向の切り換えにより、先羽根用第１駆動部材の被抑止部の作動軌跡内への出入りを切り換えることで行っている。
【０００３】
また、カメラに使用されるフォーカルプレンシャッタには、例えば、本件出願人の提案による次の特許文献２に記載されるような、後羽根チャージ時における、センサへの露光防止のため、後羽根チャージ中は後幕を閉じておく機構を備えたフォーカルプレンシャッタがある。
【０００４】
特許文献２に記載のフォーカルプレンシャッタは、後羽根用駆動手段を、後羽根用セットばねの付勢力で回転したときには後羽根に露光開口を開かせる後羽根用第１駆動部材と、後羽根用駆動ばねの付勢力によって回転したときには後羽根用第１駆動部材を後羽根用セットばねの付勢力に抗して回転させ後羽根に露光開口を閉じさせる後羽根用第２駆動部材とで構成し、セット作動の開始時には係止部材によって後羽根用第１駆動部材の回転を係止して、後羽根用第２駆動部材だけを駆動ばねの付勢力に抗して回転させ、セット作動の最終段階でその係止を解除することにより後羽根用セットばねの付勢力による後羽根用第１駆動部材の回転を可能にしている。
また、特許文献２に記載のフォーカルプレンシャッタは、係止部材が、露光作動終了直前に後羽根用第１駆動部材に当接させられることによって後羽根用第１駆動部材の回転を制動すると共に、露光作動終了時に後羽根用第１駆動部材がストッパに当接したときの衝撃で発生するバウンドを抑止している。
このため、特許文献２に記載のフォーカルプレンシャッタによれば、撮像素子から記憶装置への撮像情報の転送時間を考慮せずにセット作動を開始させることができ、次の撮影を従来よりも早く行え、従来よりもシャッタチャンスを逸することがなくなるという利点がある。また、それによって、連写を行う場合には、より細分化されたコマ写真が得られるという利点がある。
【先行技術文献】
【特許文献】
【０００５】
【特許文献１】特開２０１１−１１３０６０号公報
【特許文献２】特願２０１２−１７７７６５号公報
【発明の概要】
【発明が解決しようとする課題】
【０００６】
しかし、特許文献１に記載のフォーカルプレンシャッタのように、永久磁石回転子等の往復作動可能な可動子に備わるコイルに対し、二方向に通電を切換えることにより、可動子を先羽根の閉じ方向への移動を抑止する方向とその抑止を解除する方向とに移動させるのでは、消費電力が大きくなってしまう。
【０００７】
また、特許文献２に記載されているような後羽根チャージ中に後幕を閉じておく機構を備えたフォーカルプレンシャッタの場合、後羽根へのチャージ完了時に後羽根をセット位置に戻すが、後羽根の戻り走行終了時の衝撃により、後羽根にバウンドが発生する。そして、この後羽根のバウンドが収まらないと、露光作動を行ったときの羽根の動きが不安定になってしまうため、後羽根のバウンドが収束するまで露光作動を待つ必要がある。
このため、特許文献２に記載されているような、従来の後羽根チャージ中に後幕を閉じておく機構を備えたフォーカルプレンシャッタにおいては、この後羽根の戻り走行終了時の衝撃により生ずる後羽根のバウンドが収束するまでの時間が、次の撮影可能となるまでのタイムラグや、連写における高コマ速化の妨げとなっていた。
【０００８】
しかるに、本件出願人は、セット作動開始後の羽根へのチャージに対し第１駆動部材を係止して羽根を露光作動終了状態に保持し、第１駆動部材への係止を解除することによって羽根を露光作動開始方向へ駆動させる係止機構を備えたカメラ用フォーカルプレンシャッタにおいて、係止機構が、軸を中心として回転可能であって、一端に第１駆動部材に設けられている第１の被係止部を係止して第１駆動部材のセット方向への回転を抑止する第１の係止部を有するとともに他端に永久磁石を有する係止レバーと、片側方向への通電により前記永久磁石に対して反発する磁力を発する係止レバー用電磁石とを有し、係止レバー用電磁石への片側方向の通電と該通電の解除との切換えに応じて、係止レバーを第１の被係止部を係止する方向と該係止を解除する方向とに切換えて回転させるとともに、羽根の露光作動開始位置への戻り走行終了時の衝撃により生ずるバウンドを抑止するバウンド抑止機構を係止機構に備える構成を着想した。
【０００９】
そして、本件出願人は、このような永久磁石を有する係止レバーと、片側方向の通電により永久磁石に対して反発する磁力を発する係止レバー用電磁石とを有し、係止レバー用電磁石への片側方向の通電と該通電の解除との切換えに応じて、係止レバーを第１の被係止部を係止する方向と該係止を解除する方向とに切換えて回転させる構成により、第１の係止部による第１の被係止部への係止時に通電を解除し、係止を解除する時のみ片側方向に通電するように通電を制御することで、特許文献１のような永久磁石回転子等の往復作動可能な可動子に備わるコイルに対し二方向に通電を切換える構成に比べて、通電時間を減らして消費電力を低減させることができ、しかも、戻り走行終了時バウンド防止機構を係止機構に備える構成により、構成部材の点数を簡略化し、省スペース化しながら、羽根が露光作動を開始する前の露光作動開始位置への戻り走行終了時の衝撃により生ずるバウンドの収束時間を短縮でき、次の撮影可能となるまでの時間を短縮し、特に連写速度の向上が可能なカメラ用フォーカルプレンシャッタが得られることを見出した。
【００１０】
さらに、本件出願人が上記係止機構の作用効果について検討したところ、係止機構における永久磁石を有する係止レバーと、通電により永久磁石に対して反発する磁力を発する係止レバー用電磁石とを有する構成において次のような課題が見つかった。
【００１１】
本件出願人が着想した上記のバウンド抑止機構を備える係止機構においては、係止レバーの係止及び係止解除方向への回転は、通電することで係止レバーに備わる永久磁石に対し反発する磁力を発し、通電を解除することで係止レバーに備わる永久磁石の磁力を吸着力として作用させる係止レバー用電磁石によって行う。
そして、係止レバーは、露光作動終了直前に第１駆動部材に当接されて押されることによって一時的に係止解除方向へ所定量回転させられるが、第１駆動部材がさらに露光作動方向に回転して係止レバーから離れたときに、係止レバーに備わる永久磁石と通電を解除された係止レバー用電磁石との吸着力によって、再び係止方向に回転させられて、第１駆動部材がストッパに当接したときの衝撃で発生するバウンドを抑止する位置に戻る。
【００１２】
しかるに、本件出願人が検討した結果、係止レバーに備わる永久磁石と通電を解除された係止レバー用電磁石との吸着力によって第１駆動部材のバウンドを抑止する位置に戻す構成では、永久磁石と係止レバー用電磁石との吸着力が弱いため、係止レバーの戻る速度が遅く、第１駆動部材がストッパに当接した際の衝撃により生ずるバウンドの抑止が間に合わず、羽根が露光開口から退いて開口部の一部が開いてしまう等、羽根が露光作動終了位置から戻って露光に悪影響を与えるおそれがあり、また、露光作動終了直前に第１駆動部材に押されて一時的に係止解除方向へ所定量回転させられることによる、第１駆動部材の回転を制動する力も弱いことが判明した。
【００１３】
本発明は、このような問題点を解決するためになされたものであり、その目的とするところは、通電時間を減らして消費電力を低減させることができ、且つ、羽根へのチャージ中は幕を露光作動終了時の状態に保持し、羽根へのチャージが完了してから露光作動開始前までの間に羽根を露光作動開始位置に戻す機構を備えたタイプのカメラ用フォーカルプレンシャッタにおいて、羽根の露光作動走行終了時の衝撃により生ずる羽根のバウンドを確実に抑止して、露光に悪影響を与える羽根の戻りを阻止でき、さらには、露光作動開始位置に戻る羽根の戻り走行終了時の衝撃により生ずる羽根のバウンドの収束時間を短縮でき、次の撮影可能となるまでの時間を短縮し、特に連写速度の向上が可能となるようにするための、羽根の露光作動開始位置への戻り走行終了時の衝撃により生ずるバウンドを抑止するバウンド抑止機構を係止機構に備えることの可能なカメラ用フォーカルプレンシャッタ、及びそれを備えたデジタルカメラを提供することである。
【課題を解決するための手段】
【００１４】
上記の目的を達成するために、本発明によるカメラ用フォーカルプレンシャッタは、セットばねの付勢力によってセット方向に回転し、羽根を露光作動開始位置に戻り走行させる第１駆動部材と、駆動ばねの付勢力によってセット方向とは反対方向に回転し、前記セットばねの付勢力に抗して前記第１駆動部材を押動することで前記羽根を露光作動させる第２駆動部材とで構成された駆動手段を有するとともに、セット作動開始後の前記羽根へのチャージに対し前記第１駆動部材を係止して該羽根を露光作動終了時の状態に保持し、前記第１駆動部材への係止を解除することによって前記羽根を露光作動開始方向へ駆動させる係止機構を備えたカメラ用フォーカルプレンシャッタにおいて、前記係止機構が、軸を中心として回転可能であって、一端に前記第１駆動部材に設けられている第１の被係止部を係止して前記第１駆動部材のセット方向への回転を抑止する第１の係止部を有するとともに他端に永久磁石を有する係止レバーと、片側方向への通電により前記永久磁石に対して反発する磁力を発する係止レバー用電磁石とを有し、前記係止レバー用電磁石への片側方向の通電と該通電の解除との切換えに応じて、前記係止レバーを前記第１の被係止部を係止する方向と該係止を解除する方向とに切換えて回転させ、さらに、前記係止レバー用電磁石が、前記羽根が露光作動方向へ走行しているときに、前記永久磁石に対して反発する磁力を発する方向とは逆の第２の方向への通電により、前記永久磁石との吸着力を強める磁力を発することを特徴としている。
【００１５】
また、本発明のカメラ用フォーカルプレンシャッタにおいては、前記係止レバーは、前記第１の係止部の外側に、前記第１駆動部材の前記第１の被係止部の外側に設けられている押動部に摺接しながら押される被押動部を有し、前記第１の係止部が前記第１の被係止部を係止可能な位置にある状態で、前記第１駆動部材が露光作動方向に回転させられたときに、前記第１駆動部材の前記押動部が前記係止レバーの前記被押動部を押し退けて、前記第１の係止部による前記第１駆動部材の前記被係止部の係止が掛かるのが好ましい。
【００１６】
また、本発明のカメラ用フォーカルプレンシャッタにおいては、前記羽根の露光作動開始位置への戻り走行終了時の衝撃により生ずるバウンドを抑止するバウンド抑止機構を、前記係止機構に備えるのが好ましい。
【００１７】
また、本発明のカメラ用フォーカルプレンシャッタにおいては、前記バウンド抑止機構は、前記係止レバーに設けられていて、前記第１駆動部材に設けられている第２の被係止部を係止する第２の係止部からなるのが好ましい。
【００１８】
また、本発明のカメラ用フォーカルプレンシャッタにおいては、前記バウンド抑止機構は、前記第２の係止部の外側に、前記第１駆動部材の前記第２の被係止部の外側に設けられている第２の押動部に摺接されながら押される第２の被押動部を有し、前記第２の係止部が前記第２の被係止部を係止可能な位置にある状態で、前記第１駆動部材が露光作動開始方向に回転させられたときに、前記第１駆動部材の前記第２の押動部が前記バウンド抑止機構の前記第２の被押動部を摺接しながら押し退けて、前記第２係止部による前記第１駆動部材の前記第２の被係止部の係止が掛かるのが好ましい。
【００１９】
更に、本発明のデジタルカメラは、上記のような各カメラ用フォーカルプレンシャッタを備えている。
【発明の効果】
【００２０】
本発明のカメラ用フォーカルプレンシャッタによれば、係止機構を、軸を中心として回転可能であって、一端に第１駆動部材に設けられている第１の被係止部を係止して第１駆動部材のセット方向への回転を抑止する第１の係止部を有するとともに他端に永久磁石を有する係止レバーと、片側方向の通電により永久磁石に対して反発する磁力を発する係止レバー用電磁石とを有し、係止レバー用電磁石への片側方向の通電と該通電の解除との切換えに応じて、係止レバーを前記第１の被係止部を係止する方向と該係止を解除する方向とに切換えて回転させるようにするとともに、さらに、係止レバー用電磁石が、羽根が露光作動方向へ走行しているときに、永久磁石に対して反発する磁力を発する方向とは逆の第２の方向への通電により、永久磁石との吸着力を強める磁力を発するようにしたので、第１の係止部による第１の被係止部への係止時に通電を解除し、係止を解除する時のみ片側方向に通電するように通電を制御することで、特許文献１のような永久磁石回転子等の往復作動可能な可動子に備わるコイルに対し二方向に通電を切換える構成に比べて、通電時間を減らして消費電力を低減させることができることに加えて、露光作動終了直前に第１駆動部材に当接され押されることによって係止解除方向へ回転させられた場合において、第１駆動部材がさらに露光作動方向に回転して係止レバーから離れたときに、係止レバーの第１駆動部材がストッパに当接したときの衝撃で発生するバウンドを抑止する位置へ戻る速度が速くなり、係止レバーの上記バウンドを抑止する位置への復帰を第１駆動部材がストッパに当接した際の衝撃でバウンドする前に完了することができるようになる。しかも、係止レバーの永久磁石と係止レバー用電磁石との吸着力が強くなることによって、羽根の露光作動終了直前において第１駆動部材が係止レバーに当接し係止レバーを係止解除方向へ押して係止レバー用電磁石から引き離すために必要な力が増大するため、羽根に対する制動力が強くなり、第１駆動部材によるストッパへの衝撃力を弱めて、第１駆動部材がストッパに当接した際の衝撃により生ずるバウンド量を減らすことができる。
その結果、羽根の露光作動走行終了時の衝撃により生ずる羽根のバウンドを確実に抑止して、羽根の戻りを阻止できる。
なお、本発明における係止レバー用電磁石への第２の方向への通電は、羽根が露光作動方向へ走行しているときに限定され、羽根が露光作動方向へ走行している時間は極めて短い。このため、通電時間を減らして消費電力を低減させる効果は維持できる。
【００２１】
また、本発明のカメラ用フォーカルプレンシャッタにおいて、係止レバーを、第１の係止部の外側に、第１駆動部材の第１の被係止部の外側に設けられている押動部に摺接しながら押される被押動部を有し、第１の係止部が第１の被係止部を係止可能な位置にある状態で、第１駆動部材が露光作動方向に回転させられたときに、第１駆動部材の押動部が係止レバーの被押動部を押し退けて、第１の係止部による第１駆動部材の第１の被係止部の係止が掛かるように構成すれば、露光作動走行時の第１駆動部材をより一層制動して、第１駆動部材がストッパに当接した際の衝撃により生ずるバウンドをより一層弱めることができる。このため、係止レバーによる羽根の露光作動終了時の衝撃により生ずるバウンドの抑止をより一層確実なものとすることができる。
【００２２】
また、本発明のカメラ用フォーカルプレンシャッタにおいて、羽根の露光作動開始位置への戻り走行終了時の衝撃により生ずるバウンドを抑止するバウンド抑止機構を、係止機構に備えれば、羽根の露光作動走行終了時の衝撃により生ずる羽根のバウンドを確実に抑止して、羽開き等、露光に悪影響を与える羽根の戻りを阻止でき、且つ、羽根へのチャージ完了後に羽根の露光作動開始位置に戻る羽根の戻り走行終了時の衝撃により生ずる羽根のバウンドの収束時間を短縮でき、次の撮影可能となるまでの時間を短縮し、特に連写速度の向上が可能となるようにすることができる。また、羽根の露光作動走行終了時の衝撃により生ずる羽根のバウンドと、羽根の露光作動開始位置への戻り走行終了時の衝撃により生ずるバウンドとを抑止するための構成部材の点数を簡略化し、省スペース化できる。
【００２３】
また、本発明のカメラ用フォーカルプレンシャッタにおいて、バウンド抑止機構を、係止レバーに設けられていて、第１駆動部材に設けられている第２の被係止部を係止する第２の係止部で構成すれば、上記効果に加えて、係止レバー用電磁石に対する片側方向の通電時間を、係止レバーの第１駆動部材の露光作動開始方向への回転を抑止するための係止部が第１駆動部材の被係止部の係止を解除してから第１駆動部材の第２の被係止部が係止レバーの第２の係止部に係止されるまでの間に短縮でき、通電コストを抑えることができる。
【００２４】
また、本発明のカメラ用フォーカルプレンシャッタにおいて、バウンド抑止機構を、第２の係止部の外側に、第１駆動部材の第２の被係止部の外側に設けられている第２の押動部に摺接されながら押される第２の被押動部を有し、第２の係止部が第２の被係止部を係止可能な位置にある状態で、第１駆動部材が露光作動方向に回転させられたときに、第１駆動部材の第２の押動部がバウンド抑止機構の第２の被押動部を摺接しながら押し退けて、第２係止部による第１駆動部材の第２の被係止部の係止が掛かるようにすれば、上記効果に加えて、戻り方向走行時の第１駆動部材を制動して、羽根の戻り走行終了時のバウンドを弱めることができる。このため、バウンド抑止機構による羽根の露光作動開始位置への戻り走行終了時の衝撃により生ずるバウンドの抑止をより効果的なものとすることができ、羽根へのチャージ完了後に羽根の露光作動開始位置に戻る羽根の戻り走行終了時の衝撃により生ずる羽根のバウンドの収束時間をより一層短縮できる。
【図面の簡単な説明】
【００２５】
【図１】本発明の実施例にかかるカメラ用フォーカルプレンシャッタにおける外観を地板側からみた平面図である。
【図２】本実施例のカメラ用フォーカルプレンシャッタにおける、羽根のセット作動完了後の状態を示す平面図である。
【図３】本実施例のカメラ用フォーカルプレンシャッタにおける、セット部材を駆動するセット駆動機構部の構成を示す図で、（ａ）は地板側からみた平面図、（ｂ）は（ａ）の側面図である。
【図４】図２の状態からレリーズボタンを押した後、静止画撮影を開始するときの状態を示す平面図である。
【図５】図４の状態から露光作動を行っている途中で、第１駆動部材が係止レバーに摺接して制動されている状態を示す平面図である。
【図６】図５の状態から露光作動が終了し、第１駆動部材の第１の被係止部が係止レバーの第１の係止部に係止された状態を示す平面図である。
【図７】図６の状態から羽根のセット作動を開始し、第２駆動部材がセット方向に移動する一方、第１駆動部材の第１の被係止部が係止レバーの第１の係止部に係止され、羽根が露光開口を覆う状態が維持されている状態を示す平面図である。
【図８】図７の状態よりも羽根のセット作動が進んで、第１駆動部材の第１の被係止部が係止レバーの第１の係止部による係止を解除されて、羽根がセット方向への戻り走行を行っている途中で第１駆動部材が係止レバーに接触して制動されている状態を示す平面図である。
【図９】図８の状態から羽根がセット位置に到達し、第１駆動部材の第２の被係止部が係止レバーの第２の係止部に係止された状態を示す平面図である。
【図１０】本実施例のカメラ用フォーカルプレンシャッタにおける羽根のセット作動の完了状態からカメラのレリーズボタンの押下、露光作動、羽根のセット作動までの一連の作動シーケンスを示すタイミングチャートである。
【発明を実施するための形態】
【００２６】
本発明の実施の形態を、図示した実施例によって説明する。本実施例は、ダイレクトタイプのフォーカルプレンシャッタの構成に本発明を適用したものであるが、係止タイプとして構成したものにも適用することが可能である。
【実施例】
【００２７】
先ず、主に、図１〜図３を用いて、本発明の実施例の構成を説明するが、図１は、本実施例のカメラ用フォーカルプレンシャッタにおける外観を地板側からみた平面図、図２は本実施例のカメラ用フォーカルプレンシャッタにおける、羽根のセット作動完了後の状態を示す平面図、図３は本実施例のカメラ用フォーカルプレンシャッタにおける、セット部材を駆動するセット駆動機構部の構成を示す図で、（ａ）は地板側からみた平面図、（ｂ）は（ａ）の側面図である。尚、本実施例の説明においては、本実施例のフォーカルプレンシャッタをカメラに組み込んだとき、図１、図２の表面側（手前側）が被写体側（撮影レンズ側）であり、図１の背面側が撮像素子側であることを前提にして説明する。しかしながら、周知のように、デジタルカメラの場合には、図１、図２の表面側を撮像素子側にし、図１、図２の背面側を被写体側にすることもある。また、本発明の実施例の説明においては、先幕を電子シャッタとし、後幕のみを駆動部材を介して開閉する構成を用いることとする。
【００２８】
図１において、シャッタ地板１の略右寄り中央部には、長方形を横長にした露光用の開口部１ａが形成されている。また、周知のように、シャッタ地板１の背面側には、所定の間隔を空けて、補助地板２が取り付けられており、シャッタ地板１と補助地板２との間に羽根室を構成している。そして、補助地板２にも、開口部１ａの形状や大きさが略同様の開口部２ａが形成されている。そして、被写体光を通過させるためのシャッタユニットとしての露光開口の形状は、それらの開口部１ａ，２ａで形成されることもあるが、本実施例においては、開口部１ａの形状だけで露光開口の形状が決められている。
【００２９】
尚、本実施例のシャッタ地板１は合成樹脂製である。また、図１では、補助地板２の一部が見えるようにするために、シャッタ地板１の開口部１ａに隣接する一部の領域を故意に破断して示している。なお、図２、図４〜図９では、便宜上、図１に示す開口部１ａの右側部分を省略して示してある。
【００３０】
シャッタ地板１には、図２に示すように、開口部１ａの左側の領域に、円弧状の長孔１ｂが形成されている。長孔１ｂの下方端部には、平面形状が略Ｃ字状をした周知のゴム製の緩衝部材３が取り付けられている。また、補助地板２は、薄い板部材であって、長孔１ｂを形成している領域と重なるため、実際には、長孔１ｂと重なるところに、略同じ形状をした図示していない長孔が形成されている。
【００３１】
シャッタ地板１の表面側、即ち被写体側には、軸１ｃ，１ｄ，１ｅが立設されている。それらのうち、軸１ｅは、他の軸１ｃ，１ｄよりも短い。また、シャッタ地板１の背面側、即ち撮像素子側には、軸１ｆ，１ｇが立設されている。それらのうち、軸１ｆは、上記の軸１ｃと同心上に立設されている。また、シャッタ地板１の表面側には、矩形状の溝からなるストッパ部１ｉが設けられている。
【００３２】
シャッタ地板１の表面側には、実際には、このほかにも、複数の柱が立設されており、それらの先端には、例えば、特開２００７−２９８５４４号にも記載されているような支持板２３とプリント配線板とが、支持板２３をシャッタ地板１側にして取り付けられており、その支持板２３のシャッタ地板１側には、略Ｕ字形をしていて二つの脚部の先端を磁極部とした鉄芯部材と、コイルと、コイルを巻回していて鉄芯部材の一方の脚部に嵌装されたボビンとで構成された、羽根用電磁石が取り付けられている。しかしながら、羽根用電磁石の構成や支持板への取付け構成は周知であり、且つ羽根用電磁石の構成の全てに符号を付けると、他の構成部材が分かりにくくなってしまうため、図２のほか図４〜図９において羽根用電磁石については鉄芯部材だけに符号４を付してある。
【００３３】
シャッタ地板１の表面側に立設されている上記の軸１ｃには、駆動機構を構成していて、いずれも合成樹脂製である、第１駆動部材１１と第２駆動部材１２とが、第１駆動部材１１の方をシャッタ地板１側にして、個々に回転可能に取り付けられている。
【００３４】
先ず、第１駆動部材１１は、被押動部１１ａと、駆動ピン１１ｂと、第１の被係止部１１ｃと、第１の押動部１１ｆと、第２の被係止部１１ｄと、第２の押動部１１ｅを有している。被押動部１１ａと駆動ピン１１ｂは、表面側と背面側とで重なるように形成されており、背面側に形成されている駆動ピン１１ｂは、シャッタ地板１の長孔１ｂに挿入されている。そして、この駆動ピン１１ｂは、根元側の部位の断面が円形をしている。また、先端側の部位の断面は砲弾形をしていて、後述のように羽根室内で羽根に連結されており、その最先端部を、補助地板２に形成されていて長孔１ｂと略同じ形状をした図示していない長孔に挿入している。尚、駆動ピン１１ｂの根元側の部位の断面はＤ形であってもよい。また、駆動ピン１１ｂの先端側の部位の断面形状は小判形であってもよい。
【００３５】
他方、第２駆動部材１２は、被写体側に部厚く形成した取付部１２ａと、取付部１２ａのシャッタ地板１側に形成した押動部１２ｃと、被写体側に形成した被押動部１２ｂを有している。そして、周知のように、この第２駆動部材１２は、図示していない駆動ばねの付勢力によって時計方向（図２における軸１ｃを中心とした矢印Ａ方向）へ回転するように付勢されているが、押動部１２ｃは、その回転時に、上記の第１駆動部材１１の被押動部１１ａを押す部位である。
【００３６】
第２駆動部材１２の取付部１２ａには、その内部に、鉄片部材１３と図示していない圧縮ばねとが収容されている。そして、鉄片部材１３は、軸部１３ａの一端に円盤状をした頭部１３ｂを有していて、他端には鉄片部１３ｃを取り付けている。また、この鉄片部材１３は、取付部１２ａ内で軸部１３ａに嵌装されている上記の図示していない圧縮ばねによって、鉄片部１３ｃを取付部１２ａ内から突き出すように付勢されているが、図２では、羽根用電磁石の鉄芯部材４の磁極部に接触し、鉄片部１３ｃが上記の図示していない圧縮ばねの付勢力に抗して取付部１２ａ内に押し込まれ、軸部１３ａの一部が出現し、頭部１３ｂが取付部１２ａから離れた状態となっている。
【００３７】
また、シャッタ地板１の軸１ｃには、図１に示すように、ラチェット部材２４が回転可能に取付けられている。ラチェット部材２４は、外周部にラチェット歯（図示していない）を備えており、支持板２３に形成されたラチェット爪（図示していない）の先端をラチェット歯に噛合させられ、ラチェット部材２４の時計方向への回転を阻止されるようになっている。
【００３８】
駆動ばねは、周知のように、一端を第１駆動部材１１の図示していないばね掛け部に掛け、他端をラチェット部材２４の図示していないばね掛け部に掛けて、第２駆動部材１２を時計方向へ回転させるように付勢しており、その付勢力は、ラチェット部材２４を一時的に外し、ラチェット部材２４の回転位置を変えることによって調整できるようになっている。尚、ラチェット部材２４は、図１にだけ示してある。
【００３９】
シャッタ地板１の表面側に立設されている上記の軸１ｄには、合成樹脂製のセット部材１４が回転可能に取り付けられている。このセット部材１４は、後述するセット駆動機構部５０のリンクレバー５１の第１レバー５１ａ（図３参照）を回転可能に取り付けた取付部１４ａと、第２駆動部材１２の被押動部１２ｃを押す押動部１４ｂとを有している。
【００４０】
そして、このセット部材１４は、図示していない復帰ばねによって反時計方向（図２における軸１ｄを中心とした矢印Ｂ方向）へ回転するように付勢されているが、図２は、後述するセット駆動機構部５０（図３参照）によって復帰ばねの付勢力に抗して時計方向へ回転させられ、セット位置で停止させられている状態を示したものである。なお、図４では、そのような復帰ばねの付勢力によって反時計方向へ回転させられ、シャッタ地板１に設けられた図示していないストッパ部に当接して、停止させられている状態を示している。以下、セット部材１４については、図４に示されている位置を初期位置ということにする。
【００４１】
シャッタ地板１の表面側に立設されている上記の軸１ｅには、合成樹脂製の係止レバー１５が回転可能に取り付けられている。係止レバー１５は、係止レバー１５の一端に設けられた第１の係止部１５ａと、第１の被押動部１５ｆと、係止レバー１５の他端に設けられた永久磁石１５ｂと、第２の係止部１５ｃと、第２の被押動部１５ｄと、当接部１５ｅを有している。係止レバー１５は、後述する係止レバー用電磁石１６とともに、本発明における係止機構を構成している。また、係止レバー１５は、係止レバー用電磁石１６の通電が解除されている（即ち、通電がＯＦＦの）状態において、永久磁石１５ｂより発する、係止レバー用電磁石１６に吸着する磁力によって反時計方向（図２における軸１ｅを中心とした矢印Ｃ方向）へ回転するように付勢され、係止レバー用電磁石１６が第１の方向に通電（例えば図１０に示すように、正方向に通電ＯＮ）されている状態において、永久磁石１５ｂより発する、係止レバー用電磁石１６から発する磁力と反発する磁力によって時計方向へ回転するように付勢される。図２では、係止レバー用電磁石１６の通電が解除されていて、係止レバー１５は、永久磁石１５ｂによる係止レバー用電磁石１６への吸着力により反時計方向へ回転させられ、永久磁石１５ｂが係止レバー用電磁石１６に当接して反時計方向への回転を停止させられている。
【００４２】
第１の係止部１５ａは、永久磁石１５ｂが係止レバー用電磁石１６の鉄芯部材１６ａの磁極部に当接した状態に位置するときに、第１駆動部材１１の第１の被係止部１１ｃを係止することによって、第１駆動部材１１のセット方向（反時計方向）への回転を抑止するように形成されている。また、第１の係止部１５ａは、永久磁石１５ｂが係止レバー用電磁石１６の鉄芯部材１６ａの磁極部に当接した状態に位置するときに、第１駆動部材１１の露光方向への走行終了時における、長孔１ｂの下方端部に第１駆動部材１１の駆動ピン１１ｂが当接するときの衝撃により生じる羽根のバウンドを抑止する機能も備えている。
第１の被押動部１５ｆは、永久磁石１５ｂが係止レバー用電磁石１６の鉄芯部１６材ａの磁極部に当接した状態に位置するときに、露光方向に走行する第１駆動部材１１の被第１の押動部１１ｆに摺接されながら押されるように形成されており、第１の押動部１１ｆに摺接されながら押されることで、露光方向に走行する第１駆動部材１１を制動する機能を備えている。
【００４３】
第２の係止部１５ｃは、永久磁石１５ｂが係止レバー用電磁石１６の鉄芯部材１６ａの磁極部から離れて、当接部１５ｅが地板１のストッパ部１ｉに当接した状態に位置するときに、第１駆動部材１１の第２の被係止部１１ｄに係止することによって、第１駆動部材１１の露光方向（図２における時計方向）への回転を抑止するように形成されている。そして、第２の係止部１５ｃは、本発明のバウンド抑止機構を構成しており、永久磁石１５ｂが係止レバー用電磁石１６の鉄芯部材１６ａの磁極部から離れて、当接部１５ｅが地板１のストッパ部１ｉに当接した状態に位置するときに、第１駆動部材１１のセット方向への戻り走行終了時における長孔１ｂの上方端部に第１駆動部材１１の駆動ピン１１ｂが当接するときの衝撃により生じる羽根のバウンドを抑止する機能を備えている。
第２の被押動部１５ｄは、永久磁石１５ｂが係止レバー用電磁石１６の鉄芯部材１６ａの磁極部から離れて、当接部１５ｅが地板１のストッパ部１ｉに当接した状態に位置するときに、セット方向へ走行する第１駆動部材１１の第２の押動部１１ｅに摺接されながら押されるように構成されており、第２の押動部１１ｅに摺接されながら押されることで、セット方向へ走行する第１駆動部材１１を制動する機能を備えている。
当接部１５ｅは、ストッパ部１ｉと当接することによって、係止レバー１５の時計方向への回転を停止させるように形成されている。
【００４４】
係止レバー用電磁石１６は、略Ｕ字形をしていて二つの脚部の先端を磁極部とした鉄芯部材１６ａと、コイル１６ｂと、コイル１６ｂを巻回していて鉄芯部材の一方の脚部に嵌装されたボビン１６ｃとで構成されていて、シャッタ地板１の被写体側に、鉄芯部材１６ａの磁極部がレバー部材１５の永久磁石１５ｂと当接しうるように取り付けられている。
そして、係止レバー用電磁石１６は、コイル１６ｂが第１の方向に通電されたときに、鉄芯部材１６ａの磁極部より係止レバー１５の永久磁石１５ｂに対して反発する磁力を発し、コイル１６ｂへの通電が解除されたときに、鉄芯部材１６ａの磁極部が磁力を発さず、永久磁石１５ｂが鉄芯部材１６ａの磁極部に吸着されるように構成されている。
さらに、本実施例では、係止レバー用電磁石１６は、コイル１６ｂが第２の方向に通電（例えば図１０に示すように、負方向への通電ＯＮ）されたとき、鉄芯部材１６ａの磁極部より係止レバー１５の永久磁石１５ｂに対して吸着する磁力を発し、永久磁石１５ｂと鉄芯部材１６ａの磁極部との吸着力が強まるように構成されている。
なお、図１０に示す例では、係止レバー用電磁石１６のコイル１６ｂに対する通電の方向を、正方向を第１の方向、負方向を第２の方向としたが、係止レバー用電磁石１６のコイル１６ｂに対する通電の方向は、負方向を第１の方向、正方向を第２の方向としてもよい。
【００４５】
また、シャッタ地板１の表面側には、このほかに、セット部材１４を駆動するセット部材駆動機構５０が設けられている。
セット部材駆動機構５０は、図３（ａ）、図３（ｂ）に示すように、リンクレバー５１と、スライドレバー５２と、カム５３と、歯車列５４と、ハウジング５５と、モータ５６を有している。
【００４６】
リンクレバー５１は、第１レバー５１ａと、第２レバー５１ｂとで構成されている。第１レバー５１ａは、一端がセット部材１４の取付部１４ａに回転可能に取り付けられ、他端が第２レバー５１ｂに回転可能に取り付けられている。第２レバー５１ｂは、一端がシャッタ地板１に立設された軸１ｘに対して回転可能に取り付けられている。また、第２レバー５１ｂは、中央で第１レバー５１ａを回転可能に取り付けるとともに、他端にスライドレバー５２の当接部５２ｃと当接する当接部５１ｂ−１を備えている。
スライドレバー５２は、一端に被押動部５２ａ、一端と他端との間にピン５２ｂ、他端にリンクレバー５１における第２レバー５１ｂの当接部５１ｂ−１と当接する当接部５２ｃを夫々備えている。被押動部５２ａは、カム５３の押動部５３ａによって押動されうるように設けられている。当接部５２ｃは、リンクレバー５１の当接部５１ｂ−１と当接するように設けられている。ピン５２ｂは、ハウジング５５に設けられたガイド孔５５ａに沿ってガイド可能に設けられている。なお、便宜上、図３では図示を省略したが、ハウジング５５の内部は、スライドレバー５２をガイド孔５５ａの方向に沿って移動可能に収納するように構成されている。
【００４７】
カム５３は、ハウジング５５の内部で、歯車列５４の歯車５４ｂと同軸上に回転可能に設けられていて、所定の回転角度範囲（図３（ｂ）の例では約１８０度の範囲）にスライドレバー５２の被押動部５２ａを押動可能な押動部５３ａを備えている。押動部５３ａは、軸からの距離が最大且つ一定の円弧状に形成された第１の曲面領域５３ａ−１と、軸からの距離が第１の曲面領域５３ａ−１から離れるにしたがって第１の曲面領域５３ａ−１よりも短くなるように形成された第２の曲面領域５３ａ−２を有している。
歯車列５４は、ハウジング５５の内部に設けられた、互いに噛合する歯車５４ａ、５４ｂで構成されている。
モータ５６は、回転軸上にピニオン５６ａを備え、一方向（図３（ｂ）では時計方向（モータ５６の軸を中心とした矢印Ｘ方向））に回転軸を回転するように構成されている。ピニオン５６ａは、歯車列５４の歯車５４ａに噛合している。
【００４８】
そして、セット部材駆動機構５０は、モータ５６が回転軸を時計方向（図３（ｂ）におけるモータ５６の軸を中心とした矢印Ｘ方向）に回転し、ピニオン５６ａ、歯車５４ａ、歯車５４ｂを介してカム５３が時計方向（図３（ｂ）におけるカム５３の軸を中心とした矢印Ｚ方向）に回転することにより、カム５３の押動部５３ａがスライドレバー５２の被押動部５２ａを押し、スライドレバー５２がピン５２ｂをハウジング５５のガイド孔５５ａにガイドされながら矢印Ｗ方向に移動し、当接部５２ｃがリンクレバー５１の当接部５１ｂ−１を押すことで、第２レバー５１ｂが反時計方向（図３（ａ）における軸１ｘを中心とした矢印Ｕ方向）に回転し、セット部材１４を図示していない復帰ばねの付勢力に抗して時計方向（図２における軸１ｄを中心とした矢印Ｂ方向とは反対の方向）に回転させる。図３（ａ）はセット部材１４がセット位置近くまで回転している状態を示している。なお、セット部材１４がセット位置に到達したときには、カム５３の押動部５３ａは、軸からの距離が最大且つ一定の第１の曲面領域５３ａ−１がスライドレバー５２の被押動部５２ａを押しており、第１の曲面領域５３ａ−１がスライドレバー５２の被押動部５２ａを押している間は、セット部材１４はセット位置に保持されるようになっている。
【００４９】
また、セット部材駆動機構５０は、セット部材１４がセット位置に到達した状態からモータ５６が回転軸をさらに時計方向（図３（ｂ）におけるモータ５６の軸を中心とした矢印Ｘ方向）に回転し、ピニオン５６ａ、歯車５４ａ、歯車５４ｂを介してカム５３が時計方向（図３（ｂ）におけるカム５３の軸を中心とした矢印Ｚ方向）に回転することにより、カム５３の押動部５３ａがスライドレバー５２の被押動部５２ａから離れたときに、セット部材１４が、図示していない復帰ばねの付勢力によって反時計方向（図２における軸１ｄを中心とした矢印Ｂ方向）へ回転し、リンクレバー５１の第２レバー５１ｂが時計方向（図３（ａ）における軸１ｘを中心とした矢印Ｕ方向とは反対の方向）に回転し、当接部５１ｂ−１がスライドレバー５２の当接部５２ａを押すことで、スライドレバー５２がピン５２ｂをハウジング５５のガイド孔５５ａにガイドされながら矢印Ｗ方向とは反対の方向に移動する。そして、スライドレバー５２のピン５２ｂが、図３（ａ）におけるハウジング５５のガイド孔５５ａの下端部に当接したときに、スライドレバー５２が停止し、リンクレバー５１、セット部材１４の回転が停止する。そして、このセット部材１４の停止位置が、上述した初期位置となるようになっている。
【００５０】
次に、シャッタ地板１の背面側の構成を説明する。
シャッタ地板１と補助地板２との間に配置されている羽根は、シャッタ地板１の上記の軸１ｆに対して一端を回転可能に取り付けられたアーム１７と、シャッタ地板１の上記の軸１ｇに対して一端を回転可能に取り付けられたアーム１８と、それらの自由端である他端部に向けて順に枢支された４枚の羽根１９，２０，２１，２２とで構成されており、羽根２２がスリット形成羽根となっている。そして、周知のように、第１駆動部材１１の駆動ピン１１ｂの先端部は、アーム１７に形成された図示していない長孔に嵌合している。
【００５１】
また、シャッタ地板１の軸１ｇには、ねじりコイルばねであるセットばね５が嵌装されていて、その一端をシャッタ地板１のばね掛け部１ｈに掛け、他端をアーム１８の孔１８ａに掛けて、アーム１８を反時計方向（図２における軸１ｇを中心とした矢印Ｄ方向）へ回転させるように付勢している。そのため、このセットばね５は、羽根を介して間接的に第１駆動部材１１を反時計方向へ回転させるように付勢しているが、その付勢力は、第２駆動部材１２に掛けられている上記の図示していない駆動ばねの付勢力よりも弱くなっている。そして、このセットばね５の場合、周知の羽根のガタ寄せばね（スリット形成羽根の露光作動開始位置での姿勢を一定にするためにアーム１８に掛けられるばね）の役目を兼用させているが、第１駆動部材１１に直接掛けるように構成しても差し支えない。なお、便宜上、矢印Ａ〜Ｄは図２にのみ示してある。
【００５２】
次に、上記の構成説明に用いた図２と、図４〜図１０とを用いて本実施例の作動を説明する。なお、図１０は、羽根のセット作動の完了状態からカメラのレリーズボタンの押下、露光作動、羽根のセット作動までの一連の作動シーケンスを示すタイミングチャートであり、図２、図４〜図９の作動状態となるタイミングを夫々の図面の数字で示してある。
図２は、既に説明したように、羽根のセット作動完了後の状態を示したものである。このとき、第２駆動部材１２は、セット部材１４の時計方向の回転により、図示していない周知の駆動ばねの付勢力に抗して反時計方向に回転させられ、鉄片部材１３の鉄片部１３ｃが羽根用電磁石の鉄芯部材４の磁極部に接触している。また、第１駆動部材１は、セットばね５の付勢力により第１駆動部材１１を反時計方向へ回転させられているが、第１駆動部材１１の駆動ピン１１ｂが長孔１ｂの上方端部に当接しているため、この停止状態が維持されている。そして、このとき、４枚の羽根１９，２０，２１，２２は、折り畳み状態になって開口部１ａから退いている。また、係止レバー用電磁石１６の通電が解除されており、係止レバー１５は、上述したように、永久磁石１５ｂより発する、係止レバー用電磁石１６の鉄芯部材１６ａの磁極部に吸着する磁力によって反時計方向に回転させられ、永久磁石１５ｂが係止レバー用電磁石１６の鉄芯部材１６ａの磁極部に当接してその回転を停止させられている。
【００５３】
また、このとき、セット部材１４はセット位置にあり、押動部１４ｂは、第２駆動部材１２の被押動部１２ｂと当接している。
【００５４】
なお、本実施例のフォーカルプレンシャッタにおける電子シャッタを用いた方式の撮影は、電子ファインダを用いて撮影する場合であるので、図示していない可動ミラーを備えたカメラの場合には可動ミラーがアップ状態になっている。この状態は、ノーマリーオープン方式で撮影する構成のフォーカルプレンシャッタにおいても同様である。
【００５５】
セット部材１４は、次の撮影が行われるまで、図示していない復帰ばねの付勢力に抗して、セット駆動機構部５０（図３参照）によってこの状態を維持させられている。従って、この状態においては、開口部１ａが全開になっているので、カメラの電源をオフにしない限り、被写体像を、電子ファインダで観察し、さらには動画撮影することが可能となっている。
【００５６】
セット完了状態において、次の撮影が行われる場合を説明する。電子ファインダで被写体像を観察しながら、カメラのレリーズボタンを押すと、実際の撮影（露光作動）を開始する前に、羽根用電磁石が励磁状態になり、鉄片部材１３の鉄片部１３ｃが鉄芯部材４の磁極部に吸着保持される。また、これと殆ど時期を同じくして、係止レバー用電磁石１６は、コイル１６ｂが第２の方向に通電（負方向に通電ＯＮ）され、鉄芯部材１６ａの磁極部より係止レバー１５の永久磁石１５ｂに対して吸着する磁力を発し、永久磁石１５ｂと鉄芯部材１６ａの磁極部との吸着力が強められる。
次に、セット駆動機構部５０（図３参照）が、リンクレバー５１を介してセット部材１４に対する時計方向へ回転させる力を解くので、セット部材１４は、図示していない復帰ばねの付勢力によって反時計方向へ回転し、初期位置へ復帰させられていく。
その復帰作動の初期段階において、セット部材１４は、押動部１４ｂが第２駆動部材１２の被押動部１２ｂから離れていくので、第２駆動部材１２は、図示していない駆動ばねの付勢力によって時計方向へ回転するが、鉄片部材１３が鉄芯部材４に吸着保持されているため、僅かに回転したところで、それらの取付部１２ａが鉄片部材１３の頭部１３ｂに当接して、停止させられる。
【００５７】
このような第２駆動部材１２の僅かな回転によって、第１駆動部材１１も、その被押動部１１ａを第２駆動部材１２の押動部１２ｃに押され、セットばね５の付勢力に抗して僅かに回転させられるので、４枚の羽根１９〜２２も僅かに下方へ移動させられるが、開口部１ａを覆い始める前には停止させられる。第１駆動部材１１，羽根，第２駆動部材１２にとっては、このようにして得られた位置が、露光作動開始位置である。図４はそのときの状態を示している。
【００５８】
セット部材１４が初期位置へ復帰後に、電子シャッタがＯＮとなり、電子制御回路が撮像素子を制御することによって静止画像の撮影が開始される。そして、被写体の明るさに対応して決められた所定時間が経過すると、羽根用電磁石が消磁（図１０におけるＯＦＦ）される。
羽根用電磁石が消磁すると、鉄片部材１３に対する鉄芯部材４の吸引力が失われ、第２駆動部材１２が、駆動ばねの付勢力によって時計方向へ急速に回転させられる。そのとき、第２駆動部材１２は、押動部１２ｃが第１駆動部材１１の被押動部１１ａを押し、第１駆動部材１１を、セットばね５の付勢力に抗して時計方向へ回転させるため、４枚の羽根１９〜２２は、隣接する羽根同士の重なりを小さくしながら下方へ移動し、スリット形成羽根２２の下端縁で開口部１ａを閉じていく。また、第１駆動部材１１が露光方向への回転の終了位置近傍にまで回転したとき、第１駆動部材１１の第１の押動部１１ｆが、係止レバー１５の第１の被押動部１５ｆを摺接しながら押し、係止レバー１５を永久磁石１５ｂによる鉄芯部材１６ａの磁極部に対する吸着力に抗して、係止レバー１５を時計方向に僅かに回転させる。そのような露光作動の途中の状態が図５に示されている。
【００５９】
図５の状態から、さらに、第１駆動部材１１が、時計方向への回転を続ける。このとき、係止レバー１５の第１の被押動部１５ｆが第１駆動部材１１の第１の押動部１１ｆに摺接されながら押されて、係止レバー１５が時計方向へ回転させられることによって、第１駆動部材１１の時計方向の回転を制動する。このとき、係止レバー用電磁石１６は、コイル１６ｂが第２の方向に通電されて、鉄芯部材１６ａの磁極部より係止レバー１５の永久磁石１５ｂに対して吸着する磁力を発しており、永久磁石１５ｂと鉄芯部材１６ａの磁極部との吸着力が強められている。これにより、羽根の露光作動終了直前において第１駆動部材１１が係止レバー１５に当接し係止レバー１５を係止解除方向へ押して係止レバー用電磁石１６から引き離すために必要な力が増大するため、羽根に対する制動力が強くなり、第１駆動部材１１によるストッパへの衝撃力を弱めて、第１駆動部材１１がストッパに当接した際の衝撃により生ずるバウンド量を減らすことができる。
【００６０】
さらに、第１駆動部材１１は、時計方向へ回転し、駆動ピン１１ｂが長孔１ｂの下方端部に設けられた緩衝部材３に当接する。このとき、第１駆動部材１１の第１の押動部１１ｆによる係止レバー１５の第１の被押動部１５ｆへの摺接が解除される。このときも、係止レバー用電磁石１６は、コイル１６ｂが第２の方向に通電されて、鉄芯部材１６ａの磁極部より係止レバー１５の永久磁石１５ｂに対して吸着する磁力を発しており、永久磁石１５ｂと鉄芯部材１６ａの磁極部との吸着力が強められている。このため、係止レバー１５は、第１駆動部材１１に押されることによって係止解除方向へ回転させられた位置から第１駆動部材１１の駆動ピン１１ｂが長孔１ｂの下方端部（に設けられた緩衝部材３）に当接したときの衝撃で発生するバウンドを抑止する位置へ戻る速度が速められて、再び反時計方向に回転させられ、永久磁石１５ｂが係止レバー用電磁石１６の鉄芯部材１６ａの磁極部に吸着し、上記バウンドを抑止する位置への復帰を第１駆動部材１１がストッパに当接した際の衝撃でバウンドする前に完了し、第１の係止部１５ａが、第１駆動部材１１の第１の被係止部１１ａを係止しうるようになる。これにより、第１駆動部材１１は、長孔１ｂの下方端部に当接したときの、緩衝部材３によっては解消しきれない衝撃によるバウンドを確実に抑止され、露光に悪影響を与える羽根の戻り（本実施例では開口部１ａからの羽根開き）が阻止される。羽根用第１駆動部材１１のバウンドが静止したときに、露光作動が終了し、羽根用の二つの駆動部材１１，１２と羽根の作動が停止する。また、これと殆ど時期を同じくして、係止レバー用電磁石１６のコイル１６ｂに対する通電が解除される。また、第１駆動部材１１の駆動ピン１１ｃの緩衝部材３への当接と殆ど時期を同じくして、電子シャッタがＯＦＦとなる。そのときの状態が図６に示されている。
【００６１】
撮影に際して羽根による露光作動が終了し、図６に示された状態になると、直ちに静止画像の撮像情報が撮像素子から情報処理回路を介して記憶装置に転送されるが、カメラに備えられている制御回路には、そのための転送可能時間が予め設定されている。
【００６２】
本実施例のフォーカルプレンシャッタは、先幕電子シャッタ方式での撮影時において、静止画像の撮像情報転送可能時間中にセット部材１４に羽根のセット作動を開始させても、羽根は開口部１ａを覆ったままであって撮像素子には光が当たらないようにし、静止画像の撮像情報転送可能時間の経過後であって、セット部材１４のセット作動が終了する直前になってから羽根に開き作動を行わせ、開口部１ａを全開状態にさせるようにしている。そのため、撮影に際してカメラのレリーズボタンを押してから、撮影が終了し、次の撮影待機状態が得られるまでの一連の撮影サイクルが、かなり短くなって、次の撮影が早く行える。
【００６３】
加えて、従来は、羽根へのチャージ完了後にセット位置に戻る羽根の戻り走行完了時の衝撃により羽根にバウンドが発生し、この羽根のバウンドが収まらないと、露光作動を行ったときの羽根の動きが不安定になってしまうため、羽根のバウンドが収束するまで露光作動を待つ必要があったが、本実施例のフォーカルプレンシャッタにおいては、羽根の露光開口からの退避作動時の衝撃により生ずる羽根のバウンドを抑えるバウンド抑止機構として係止レバー１５に第２の係止部１５ｃを備えたことにより、羽根へのチャージ完了後にセット位置に戻る羽根の戻り完了時の衝撃により生ずる羽根のバウンドの収束時間を短縮でき、その結果、連写速度を向上させることができる。
【００６４】
しかも、本実施例のフォーカルプレンシャッタにおいては、係止機構を、軸を中心として回転可能であって、一端に第１駆動部材１１に設けられている第１の被係止部１１ｃを係止して第１駆動部材１１のセット方向への回転を抑止する第１の係止部１５ａを有するとともに他端に永久磁石１５ｂを有する係止レバー１５と、片側方向（第１の方向、ここでは正方向）の通電により永久磁石１５ｂに対して反発する磁力を発する係止レバー用電磁石１６とを有し、係止レバー用電磁石１６への片側方向の通電と該通電の解除との切換えに応じて、係止レバー１５を第１の被係止部１５ａを係止する方向と該係止を解除する方向とに切換えて回転させるようにしたので、第１の係止部１５ａによる第１の被係止部１１ｃへの係止時に通電を解除し、係止を解除する時のみ片側方向に通電するように通電を制御することで、特許文献１のような永久磁石回転子等の往復作動可能な可動子に備わるコイルに対し二方向に通電を切換える構成に比べて、通電時間を減らして、消費電力を低減させることができる。
なお、本実施例においては、係止レバー用電磁石１６が、羽根が露光開口を閉じる方向へ走行しているときに、片側方向とは逆の第２の方向（ここでは負方向）への通電により、前記永久磁石との吸着力を強める磁力を発しているが、係止レバー用電磁石１６の第２の方向への通電は、羽根が露光開口を閉じる方向へ走行しているときに限定され、羽根が露光開口を閉じる方向へ走行している時間は極めて短い。このため、通電時間を減らして消費電力を低減させる効果は維持できる。
そこで、以下においては、本実施例のフォーカルプレンシャッタがそのような作動を好適に行えることを、具体的に説明する。
【００６５】
露光作動が終了して図６の状態が得られると、本実施例の場合には、上記したように、直ちにセット作動が開始されるが、羽根へのセット作動は、セット駆動機構部５０（図３参照）が、リンクレバー５１を介して図示していない復帰ばねの付勢力に抗してセット部材１４を時計方向へ回転させることによって行なわれる。
【００６６】
羽根へのセット作動が開始されると、セット部材１４の押動部１４ｂが第２駆動部材１２の被押動部１２ｂを押し、第２駆動部材１２を図示していない駆動ばねの付勢力に抗して反時計方向へ回転させ始める。このとき、第１駆動部材１１には、セットばね５により、羽根を介して反時計方向へ回転する力が与えられているが、係止レバー１５の第１の係止部１５ａが第１駆動部材１１の第１の被係止部１１ｃを係止することによって、反時計方向への回転を抑止させられる。
【００６７】
その後も、セット部材１４は時計方向への回転を続けるので、第２駆動部材１２は、被押動部１２ｂが押動部１４ｂに押され、図示していない駆動ばねの付勢力に抗して反時計方向へ回転させられるが、第１駆動部材１１は、係止レバー１５の第１の係止部１５ａに第１の被係止部１１ｃを係止されているので、セットばね５の付勢力により反時計方向へ回転させることができない。そのため、４枚の羽根１９〜２２は、開口部１ａを覆ったままの状態で、第２駆動部材１２だけが反時計方向へ回転を続けることになる。
【００６８】
その後、第２駆動部材１２に取り付けられている鉄片部材１３の鉄片部１３ｃが、羽根用電磁石の鉄芯部材４の磁極部に接触するが、このころには既に、上記した記憶装置への静止画像の撮像情報の転送は終わっている。
セット部材１４は、その後も僅かに回転し、セット位置で停止させられる。そのときの状態が図７に示されている。
【００６９】
また、鉄片部材１３の鉄片部１３ｃが鉄芯部材４の磁極部に接触するころには、係止レバー用電磁石１６のコイル１６ｂに対する正方向への通電がＯＮとなり、鉄芯部材１６ａの磁極部より係止レバー１５の永久磁石１５ｂに対して反発する磁力を発する。これにより、係止レバー１５が時計方向に回転し、第１の係止部１５ａによる第１駆動部材１１の第１の被係止部１１ｃへの係止を解く。また、係止レバー１５は、当接部１５ｅがストッパ部１ｉと当接したときに、時計方向への回転を停止させる。
【００７０】
第１駆動部材１１は、係止レバー１５の第１の係止部１５ａによる第１の被係止部１１ｃへの係止を解かれると、セットばね５の付勢力によって反時計方向へ回転を開始する。そして、４枚の羽根１９〜２２は、隣接する羽根同士の重なりを大きくしつつ上方へ移動し、開口部１ａを開いていく。
【００７１】
そして、第１駆動部材１１の反時計方向の回転を伴った羽根のセット方向への戻り走行の途中で、第２の押動部１１ｅが係止レバー１５の第２の被押動部１５ｄに摺接しながら押し、係止レバー１５を永久磁石１５ｂによる、係止レバー用電磁石１６のコイル１６ｂに対する正方向への通電時の鉄芯部材１６ａの磁極部から発する磁力に対する反発力に抗して、係止レバー１５を反時計方向に僅かに回転させる。そのような第１駆動部材１１のセット位置への戻り走行の途中の状態が図８に示されている。
【００７２】
図８の状態から、さらに、第１駆動部材１１が、反時計方向への回転を続ける。このとき、係止レバー１５の第２の被押動部１５ｄが第１駆動部材１１の第２の押動部１１ｅに摺接されながら押されて、係止レバー１５が反時計方向に回転させられることによって、第１駆動部材１１の反時計方向の回転を制動する。さらに、第１駆動部材１１は、反時計方向へ回転し、駆動ピン１１ｂが長孔１ｂの上方端部に当接する。このとき、第１駆動部材１１の第２の押動部１１ｅによる係止レバー１５の第２の被押動部１５ｄへの摺接が解除される。このため、係止レバー１５は、永久磁石１５ｂによる、係止レバー用電磁石１６のコイル１６ｂに対する正方向への通電時の鉄芯部材１６ａの磁極部から発する磁力に対する反発力により、再び時計方向に回転させられ、当接部１５ｅがストッパ部１ｉと当接し、第２の係止部１５ｃが、第１駆動部材１１の第２の被係止部１１ｄを係止しうるようになる。これにより、第１駆動部材１１は、長孔１ｂの上方端部に当接したときの衝撃によるバウンドを抑止される。第１駆動部材１１のバウンドが静止したとき、第１駆動部材１１の反時計方向の回転を伴った羽根のセット方向への戻り作動が終了し、第１駆動部材１１と羽根の作動が停止する。そのときの状態が図９に示されている。図９の状態においては、開口部１ａが全開になっているので、カメラの電源をオフにしない限り、被写体像を、電子ファインダで観察することが可能となる。
【００７３】
図９の状態の後、係止レバー用電磁石１６のコイル１６ｂに対する通電が解除され、鉄芯部材１６ａの磁極部より発していた永久磁石１５ｂに対して反発する磁力を発しなくなる。すると、係止レバー１５の永久磁石１５ｂによる係止レバー用電磁石１６の鉄芯部材１６ａの磁極部への吸着力により、係止レバー１５が反時計方向に回転し、第２の係止部１５ｃによる第１駆動部材１１の第２の被係止部１１ｄへの係止を解く。また、係止レバー１５は、永久磁石１５ｂが鉄芯部材１６ａの磁極部に吸着したときに、反時計方向への回転を停止させる。
【００７４】
第１駆動部材１１は、係止レバー１５の第２の係止部１５ｃによる第２の被係止部１１ｄとの係止を解かれるが、セットばね５の付勢力によって、４枚の羽根１９〜２２は、開口部１ａを開いた状態を保持される。
そのときの状態が図２に示されている。
【００７５】
ところで、本実施例における係止レバー１５の本来の役目は、セット作動が開始されてから、撮像情報が撮像素子から転送され終わるまで、開口部１ａを４枚の羽根１９〜２２によって覆っているようにするために、第１駆動部材１１を係止していることである。そのため、本発明の係止レバーは、本実施例のように構成せず、第１駆動部材１１が上記のようにして停止し終わる直前には接触せず、停止し終わってから、例えばカメラ本体側の部材によって、第１駆動部材１１の時計方向への回転を係止し得るようにしてもよいわけである。しかしながら、本実施例の場合には、専用の制動部材を備えなくてもよいようにするために、係止レバー１５が上記のように構成されていて、露光作動の最終段階において二つの駆動部材１１，１２の回転を制動する役目も有するようにしている。
【００７６】
また、羽根のセット方向への戻り走行終了時には、第１駆動部材１１の駆動ピン１１ｂが長孔１ｂの上方端部に当接したときの衝撃によって羽根がバウンドし、バウンドの収束までの時間が、次の撮影可能となるまでの時間短縮の妨げとなるが、羽根のセット方向への戻り走行終了時のバウンドを抑える部材を単独で備えると構成が複雑化し、装置が大型化する。しかるに、本実施例の場合には、係止レバー１５の第２係止部１５ｄが第１駆動部材１１の第２の被係止部１１ｄを係止するので、第１駆動部材１１の駆動ピン１１ｂが長孔１ｂの上方端部に当接したときの衝撃による羽根のバウンドを抑える部材を特別に備えなくてもよいようになっている。
【００７７】
以上のようにして、二つの駆動部材１１，１２と羽根の停止した状態が、図２に示されているセット作動の終了直後の状態であるが、既に説明したように、本実施例の場合には、セット作動終了直前に行われる羽根のセット位置への戻り走行において、係止レバー１５の第２の被押動部１５ｄにより第１駆動部材１１の回転が制動され、さらに第２の係止部１５ｃにより第１駆動部材１１がセット位置で係止されるため、セット位置に戻ったときの羽根のバウンドが抑えられ、羽根が静止するまでの時間が短くなる。その結果、本実施例のフォーカルプレンシャッタによれば、次の撮影を行えるようになるまでの時間がより一層短くなり、特に連写を行えるようにしたデジタルカメラに用いて有利になる。
【００７８】
尚、本実施例のセット作動は、上記のように、セット部材１４が、セット駆動機構部５０のリンクレバー５１を介して、図示していない復帰ばねの付勢力に抗して回転させられることによって行われるが、本発明のフォーカルプレンシャッタは、そのような構成に限定されるものではない。周知のように、カメラ本体側の部材に直接押されて回転させられるように構成してもよい。また、セット部材１４を初期位置へ復帰させるための復帰ばねは、本実施例のように、セット部材１４に掛けてもよいが、セット駆動機構部５０のリンクレバー５１に掛けるようにしても構わない。
【００７９】
ところで、既に述べたように、本発明は、係止タイプのフォーカルプレンシャッタとして実施することも可能であるが、上記の実施例は、ダイレクトタイプのフォーカルプレンシャッタとして構成したものである。そして、実施例の説明の中においては、係止タイプのフォーカルプレンシャッタとして構成したときは、セット部材をセット作動終了後、直ちに初期位置へ復帰させることなく、実施例におけるセット部材の場合と同様に、撮影の初期段階であって露光作動が開始される前に、初期位置へ復帰させるようにする必要があることを説明した。そのため、その説明だけで、本発明を、係止タイプのフォーカルプレンシャッタとして実施することも可能であることが、充分に理解できると考えるが、念のため、実施例の構成を係止タイプのフォーカルプレンシャッタにする場合の構成を、簡単に説明しておく。
【００８０】
先ず、第２駆動部材１２には、本実施例のように鉄片部材１３を取り付けず、それに代わって被係止部を形成しておく。そして、図９のセット完了状態においては、第２駆動部材１２は、被係止部が係止レバーに係止される位置を越えるところまで回転されているようにしておき、カメラのレリーズボタンが押され、本実施例のようにセット部材１４が初期位置へ復帰するときの初期段階で、係止レバーに係止されるようにする。そして、その後、セット部材１４が初期位置へ復帰するまでの作動は、上記の実施例の場合と全く同じである。
【００８１】
他方、上記の係止レバーの係止を解除するために設けられている係止解除部材は、セット部材１４が、上記のようにして、初期位置へ復帰作動を開始する前に、ばねの付勢力に抗して、羽根用電磁石に吸着保持されるようにする。そして、その後、セット部材１４が、上記のように作動して、図４に示された初期位置へ復帰すると、羽根用電磁石に対する通電を断つ。それにより、上記の係止解除部材は、上記のばねの付勢力で作動し、上記の係止レバーによる係止を解除するので、第２駆動部材１２は、露光作動を開始する。そして、セット作動時には、セット部材１４の作動に連動して、上記の係止解除部材が、羽根用電磁石に対して接触させられるようにする。尚、このような作動が得られるようにするための構成は種々知られているが、その一例が、特開２００１−２１５５５５号公報にも記載されている。
【００８２】
また、本実施例において説明した、片側通電により係止と係止解除を切換えることができ、さらに、係止レバー用電磁石が、後羽根が露光開口を閉じる方向へ走行しているときに、永久磁石に対して反発する磁力を発する方向とは逆の第２の方向への通電により、永久磁石との吸着力を強める磁力を発し、且つ、セット方向への戻り時の衝撃により生ずるバウンドを抑止するバウンド抑止機構を備えた、本発明の係止機構の構成は、先羽根用、後羽根用のいずれの駆動部材に対しても適用可能である。
また、本発明は、ノーマリーオープン方式を採用した、先羽根用駆動部材を介して先幕を開閉し、後羽根用駆動部材を介して後幕を開閉する構成にも適用可能である。
【符号の説明】
【００８３】
１                              シャッタ地板
１ａ，２ａ                      開口部
１ｂ                            長孔
１ｃ，１ｄ，１ｅ，１ｆ，１ｇ，１ｘ          軸
１ｈ                            ばね掛け部
１ｉ                            ストッパ部
２                              補助地板
３                              緩衝部材
４                              鉄芯部材
１１                            第１駆動部材
１１ａ                          被押動部
１１ｂ                          駆動ピン
１１ｃ                          第１の被係止部
１１ｄ                          第２の被係止部
１１ｅ                          第２の押動部
１１ｆ                          第１の押動部
１２                            第２駆動部材
１２ａ                          取付部
１２ｂ                          被押動部
１２ｃ                          押動部
１３                            鉄片部材
１３ａ                          軸部
１３ｂ                          頭部
１３ｃ                          鉄片部
１４                            セット部材
１４ａ                          取付部
１４ｂ                          押動部
１５                            係止レバー
１５ａ                          第１の係止部
１５ｂ                          永久磁石
１５ｃ                          第２の係止部
１５ｄ                          第２の被押動部
１５ｅ                          当接部
１５ｆ                          第１の被押動部
１６                            係止レバー用電磁石
１６ａ                          鉄芯部材
１６ｂ                          コイル
１６ｃ                          ボビン
１７，１８                      アーム
１８ａ                          孔
１９，２０，２１，２２          羽根
２３                            支持板
２４                            ラチェット部材
５０                            セット駆動機構部
５１                            リンクレバー
５１ａ                          第１レバー
５１ｂ                          第２レバー
５１ｂ−１                      当接部
５２                            スライドレバー
５２ａ                          被押動部
５２ｂ                          ピン
５２ｃ                          当接部
５３                            カム
５３ａ                          押動部
５３ａ−１                      第１の曲面領域
５３ａ−２                      第２の曲面領域
５４                            歯車列
５４ａ，５４ｂ                  歯車
５５                            ハウジング
５５ａ                          ガイド孔
５６                            モータ
５６ａ                          ピニオン
【図１】
0006031019.tif 000002
【図２】
0006031019.tif 000003
【図３】
0006031019.tif 000004
【図４】
0006031019.tif 000005
【図５】
0006031019.tif 000006
【図６】
0006031019.tif 000007
【図７】
0006031019.tif 000008
【図８】
0006031019.tif 000009
【図９】
0006031019.tif 000010
【図１０】
0006031019.tif 000011